(57)【要約】【課題】  太陽エネルギー装置の支持が強固で、架台自体を傾斜させることなく太陽エネルギー装置を採光効率よく太陽光の方に向けて設置可能であると共に、太陽エネルギー装置が架台から突出せずに外観意匠を損なうことがない太陽エネルギー装置架設構造を提供すること。【解決手段】  太陽エネルギー装置２１を架台２で支持する太陽エネルギー装置架設構造において、架台２は、上弦材３、下弦材４、斜材５からなる立体トラス構造体からなり、立体トラス構造体の上接合部６から上受け金具７を、下接合部８から下受け金具９を、それぞれ斜材５に沿うように延出し、対角状の上受け金具７と下受け金具９とに渡り太陽エネルギー装置２１を架設する。【選択図】  図２
2005042493.tif 000002
【特許請求の範囲】
【請求項１】
太陽エネルギー装置を架台で支持する太陽エネルギー装置架設構造において、
前記架台は、上弦材、下弦材、斜材からなる立体トラス構造体からなり、
前記立体トラス構造体の上接合部から上受け金具を、下接合部から下受け金具を、それぞれ前記斜材に沿うように延出し、
前記対角状の上受け金具と下受け金具とに渡り太陽エネルギー装置を架設することを特徴とする太陽エネルギー装置の架設構造。
【請求項２】
太陽エネルギー装置を架設しない面部分、または、立体トラス構造体と太陽エネルギー装置の間に、非透水性材からなる外装材を配したことを特徴とする請求項１記載の太陽エネルギー装置の架設構造。
【請求項３】
太陽エネルギー装置を架設しない面部分に配した外装材は、透光性材であることを特徴とする請求項１または２記載の太陽電池の架設構造。
【発明の詳細な説明】
【技術分野】
【０００１】
本発明は太陽エネルギー装置の架設構造に関する。
【背景技術】
【０００２】
従来、例えば特許文献１に記載されているように、太陽エネルギー装置（太陽熱を利用した太陽電池や温水器）は建築物の外装面に設置されているが、一部を除いて、設置面に対して傾斜させて設置するものである。
しかし、上記のような場合、太陽エネルギー装置を傾斜させるための部材が必要になる問題や、太陽エネルギー装置が建築物から突出するように設置されるため、外観が損なわれるという問題があった。
【特許文献１】特開平１１−３５４８２３公報
【発明の開示】
【発明が解決しようとする課題】
【０００３】
解決しようとする課題は、第１には、太陽エネルギー装置の支持が強固で、架台自体を傾斜させることなく太陽エネルギー装置を採光効率よく太陽光の方に向けて設置可能であると共に、太陽エネルギー装置が架台から突出せずに外観意匠を損なうことがない太陽エネルギー装置架設構造を、第２には、さらに、容易に屋根機能を付加可能な太陽エネルギー装置架設構造を、第３には、さらに、屋根下が明るい太陽エネルギー装置架設構造を提供することにある。
【課題を解決するための手段】
【０００４】
本発明は前記した課題を達成するため、以下の構成にしたことを特徴とする。
１．太陽エネルギー装置を架台で支持する太陽エネルギー装置架設構造において、架台は、上弦材、下弦材、斜材からなる立体トラス構造体からなり、前記立体トラス構造体の上接合部から上受け金具を、下接合部から下受け金具を、それぞれ前記斜材に沿うように延出し、前記対角状の上受け金具と下受け金具とに渡り太陽エネルギー装置を架設することを特徴とする。
２．前記した１において、太陽エネルギー装置を架設しない面部分、または、立体トラス構造体と太陽エネルギー装置の間に、非透水性材からなる外装材を配したことを特徴とする。
３．前記した１または２において、太陽エネルギー装置を架設しない面部分に配した外装材は、透光性材であることを特徴とする。
【発明の効果】
【０００５】
Ａ．請求項１により、架台を立体トラス構造体とすることで太陽エネルギー装置の支持が強固なものになる。
架台を立体トラス構造体とし、太陽エネルギー装置をトラス構造体の斜材に沿って架設することが出来るので、架台自体を傾斜させることなく太陽エネルギー装置を採光効率よく太陽光の方を向けて設置することができる。
太陽エネルギー装置をトラス構造体の斜材に沿って架設するので、太陽エネルギー装置が架台から突出することがなく、外観意匠を損なうことがない。
Ｂ．請求項２により、さらに、容易に屋根機能を付加出来るので、下屋や庇といった建築物の付帯部分に、容易に太陽エネルギー装置を設置可能となり、省エネルギー化を推進出来る。
Ｃ．請求項３により、さらに、外装材を設置した場合、透光性材を適宜配置出来るので、屋根下を明るくすることが出来る。
【発明を実施するための最良の形態】
【０００６】
架台は、上弦材、下弦材、斜材からなる立体トラス構造体からなり、この立体トラス構造体における上弦材と斜材の接合部位の上接合部から上受け金具を、下弦材と斜材の接合部位の下接合部から下受け金具を、それぞれ前記斜材に沿うように延出し、前記対角状の上受け金具と下受け金具とに渡り太陽エネルギー装置を架設する。
かかる太陽エネルギー装置および外装材は、上下の受け金具への取り付けを原則とするが、太陽エネルギー装置、外装材の想定荷重条件が低く、斜材の許容荷重が大きい場合には、斜材に固定するようにしても良い。同様に、上弦材、下弦材の許容荷重が大きい場合には、それらに固定しても良い。
上下の受け金具は、立体トラス構造体における上下の各接合部にそれぞれ配設されるピース状の取付金具からなる態様、桁行き方向またはこれに交差する方向等の特定方向の各斜材に跨るようにして上下平行状に配設される長尺状の支持部材からなる態様、立体トラス構造体における上下の各接合部にそれぞれ配設されるピース状の取付金具と、桁行き方向またはこれに交差する方向等の特定方向の前記各取付金具に渡り各斜材を跨るようにして上下平行状に配設される長尺状の支持部材とからなる態様のいずれの態様のものであっても良い。
上下平行状の支持部材は、上下の取付金具に取り付けられるが、斜材に取り付けられても良く、太陽エネルギー装置および外装材を桁行き方向或いはこれに交差する方向の任意の位置に固定可能にすることで施工性の向上を図っていると共に、上弦材或いは下弦材を補助し得るようにしてある。
外装材は、屋根を構成する部材であっても良いし、そうでなくとも良い。屋根である場合、例えば、上部棟部材、下部棟部材、カバー部材、屋根材、樋部材で形成しても良く、下部棟部材が上弦材の働きを兼ねるようにしても良い。また、上部棟部材と下部棟部材間に形成される空間は、太陽エネルギー装置の配線・配管空間として利用し得るようにしても良いし、そうしなくとも良い。
外装材は、鉄、アルミ、ステンレス等の金属板（化粧鋼板等）、ガラス板、樹脂板、その他の公知の非透水性材からなる。この内、透光性があるのは、ガラス板、樹脂板（代表的にはポリカーボネート製）等である。また、外装材の組合せ例として、透光性のない金属板と透光性がある樹脂板とを併用して形成しても良い。
太陽エネルギー装置は、太陽電池、太陽熱温水器等のパネルやユニット、その他の公知のものが挙げられる。
【実施例１】
【０００７】
図１には本発明の太陽エネルギー装置架設構造における実施の１形態を例示しており、支柱１に渡り横架された架台２は、上弦材３と下弦材４と斜材５からなる立体トラス構造体に形成されている。この立体トラス構造体の架台２における上弦材３と斜材５がボルト１０およびナット１１で接合状態に止着固定された各上接合部６からは上取付金具７が斜め下向きに、下弦材４と斜材５がボルト１２およびナット１３で接合状態に止着固定された各下接合部８からは下取付金具９が斜め上向きに、それぞれ斜材５に沿うように延出されている。
上取付金具７はピース材で、水平状の固定部７ａを上接合部６にボルト１０およびナット１１で固定されており、斜材５に沿うように斜め下向きの右取付部７ｂには上支持部材１４が非透水性および非透光性の屋根材１５上端部ともどもビス１６で止着固定され、同じく斜材５に沿うように斜め下向きの左取付部７ｃには上支持部材１４が非透水性および透光性の屋根材１７上端部ともどもビス１６で止着固定されている。
同様に、下取付金具９はピース材で、水平状の固定部９ａを下接合部８にボルト１２およびナット１３で固定されており、斜材５に沿うように斜め上向きの右取付部９ｂには下支持部材１８が非透水性および透光性の屋根材１７下端部、樋部材１９右端部ともどもビス２０で止着され、同じく斜材５に沿うように斜め上向きの左取付部９ｃには下支持部材１８が非透水性および非透光性の屋根材１５下端部、樋部材１９左端部ともどもビス２０で止着固定されている。
【０００８】
上支持部材１４および下支持部材１８は断面ハット型の長尺状の金属製のもので、上支持部材１４は、桁行き方向の上取付金具７における各右取付部７ｂと各左取付部７ｃにそれぞれ架設され、下支持部材１８は、桁行き方向の下取付金具９における各右取付部９ｂと各左取付部９ｃにそれぞれ架設されており、この桁行き方向に沿い上下平行状の上支持部材１４と下支持部材１８に跨るようにして屋根材１５、１７が取り付けられている。
そして、斜材５に沿い配設された非透水性および非透光性の屋根材１５上には太陽エネルギー装置２１が対角状の上支持部材１４と下支持部材１８に取り付けられて保持され、桁行き方向との交差方向に非透水性および透光性の屋根材１７と太陽エネルギー装置２１とが交互した屋根面意匠に仕上げられている。
【０００９】
桁行き方向の各上接合部６には、桁行き方向に長尺状の上部棟部材２２および下部棟部材２３がそれぞれ跨座状に取り付けられている。上部棟部材２２は断面下向きコ形状の金属製のもので、上接合部６のボルト１０にナット２４、パッキング２５で取り付けられ、左右の側面部２２ａ下端が下部棟部材２３の左右の被取付部２３ａにビス２６でそれぞれ固定されている。下部棟部材２３は上弦材としての働きを兼ねる断面略笠状の金属製のもので、左右の被取付部２３ａには上部棟部材２２の左右の側面部２２ａ下端がビス２６でそれぞれ固定されている。この上部棟部材２２内における下部棟部材２３との間の空間には配線、配管空間２７が形成されている。
上下の棟部材２２、２３と屋根材１５および屋根材１７との間には、それぞれ桁行き方向に長尺状のカバー部材２８が配設されており、このカバー部材２８はビス１６で左右の上支持部材１４に止着されて取り付けられていて、これらの上部棟部材２２とカバー部材２８と屋根材１５および屋根材１７とからなる屋根面２９が形成されている。
【００１０】
桁行き方向の各下接合部８上には、桁行き方向に長尺状の樋部材１９が左右の屋根材１５と屋根材１７との下側に渡って配設されている。この樋部材１９は、左右の固定部１９ａがビス２０で下支持部材１８に止着されて取り付けられていて、屋根面２９の谷部を形成し、雨水が桁行き方向の端に流れるようにしてある。
【図面の簡単な説明】
【００１１】
【図１】本発明の太陽エネルギー装置架設構造における実施の1形態を例示している縦断正面図。
【図２】部分拡大縦断正面図。
【図３】上接合部周りの部分拡大縦断正面図。
【図４】下接合部周りの部分拡大縦断正面図。
【符号の説明】
【００１２】
１  支柱
２  架台
３  上弦材
４  下弦材
５  斜材
６  上接合部
７  上取付金具（上受け金具）
７ａ、９ａ、１９ａ  固定部
７ｂ、９ｂ  右取付部
７ｃ、９ｃ  左取付部
８  下接合部
９  下取付金具（下受け金具）
１０、１２  ボルト
１１、１３、２４  ナット
１４  上支持部材
１５、１７  屋根材（外装材）
１６、２０、２６  ビス
１８  下支持部材
１９  樋部材
２１  太陽エネルギー装置
２２  上部棟部材
２２ａ  側面部
２３  下部棟部材
２３ａ  被取付部
２５  パッキング
２７  配線、配管空間
２８  カバー部材
２９  屋根面
【図１】
2005042493.tif 000003
【図２】
2005042493.tif 000004
【図３】
2005042493.tif 000005
【図４】
2005042493.tif 000006